(57)【特許請求の範囲】
【請求項１】
送風ファンが配置された送風機室と、圧縮機、冷媒配管群、電気品箱が配置された機械室と、前記送風機室と機械室とを仕切る仕切り板と、前記送風機室及び前記機械室の前側に設けられる前面パネルとを備え、
前記仕切り板の前面側を、前記機械室側に折り曲げてその開口部が前記送風機室側に向くコ字状に形成し、
前記仕切り板の当該コ字状は、前記前面パネルに固定される取付面を有している
ことを特徴とする室外機。
【請求項２】
送風ファンが配置された送風機室と、圧縮機、冷媒配管群、電気品箱が配置された機械室と、前記送風機室と機械室とを仕切る仕切り板とを備え、
前記仕切り板を、前記送風機室と機械室との間に前面パネルと直交して設置される本体部と、該本体部の前面側を前記機械室側に折曲げて延設したのち前面側に折曲げ、さらに前記送風機室側に前記前面パネルと平行に折曲げて前記前面パネルに固定される取付面からなるコ字状部とによって構成したことを特徴とする室外機。
【請求項３】
前記送風機室の前面側に装着される送風機室前面パネルの前記機械室側の端部を内側にＬ字状に折曲げて固定面を形成し、該固定面に前記仕切り板の取付面をねじにより固定することを特徴とする請求項２記載の室外機。
【請求項４】
前記送風機室前面パネルの固定面に前記仕切り板の取付け面を固定したねじの先端部が、前記仕切り板のコ字状部内に位置することを特徴とする請求項３記載の室外機。
【請求項５】
前記仕切り板の本体部の前面側を機械室側に折曲げて延設した延設部は、前記取付面より左右幅を長くして、前記延設部と前記取付面からなる断面をＪ字状形状としたことを特徴とする請求項２又は３記載の室外機。
【請求項６】
前記機械室の前面側に装着した機械室前面パネルにより、前記送風機室前面パネルの固定面を覆うように構成したことを特徴とする請求項３又は４又は５記載の室外機。
【請求項７】
前記請求項１〜６のいずれかに記載の室外機を備えたことを特徴とする空気調和機。
【発明の詳細な説明】
【技術分野】
【０００１】
本発明は、送風機室と機械室とを仕切り板で仕切った室外機及びこれを備えた空気調和機に関するものである。
【背景技術】
【０００２】
従来の空気調和機の室外ユニット（室外機）の送風機室と機械室とを仕切る仕切り板に、Ｌ字状に形成され、短片の先端部が機械室側又は前面側に向くように配置されて、前面パネルに固定するようにしたものがある（例えば、特許文献１参照）。
【０００３】
【特許文献１】特開平７−５５２０２号公報（第４頁、図６）
【発明の開示】
【発明が解決しようとする課題】
【０００４】
特許文献１の空気調和機の室外ユニットにおいては、Ｌ字状に形成された仕切り板の短片の先端部がエッジ部となるため、機械室内に配置されている圧縮機や冷媒配管群と電気品箱とを接続する配線や、電気品箱内の配線を傷付けるおそれがあった。
また、現地での室外ユニットの据付作業や室内ユニットとの接続作業、あるいは据付後の室外ユニットのメンテナンス作業時には、作業者が機械室の前面パネルを取外した状態で作業を行う必要があるため、露出している仕切り板のエッジ部に触れるおそれがある。このため、エッジ部に保護用のテープやパッキンを貼り付ける必要があり、面倒であった。
【０００５】
さらに、Ｌ字状の仕切り板の短片をねじにより前面パネルに固定すると、ねじの先端部が機械室内に突出するため、この突出部により機械室内の配線を傷付けたり、作業者に触れたりするおそれがあり、そのため、ねじの突出部を覆うように保護用の絶縁材を貼り付けていた。
また、雨天時などには、仕切り板の短片に設けたねじ穴から、機械室内に雨水が浸入することがあるため、電気品箱などに対して浸水防止対策を講じなければならなかった。
【０００６】
本発明は、上記の課題を解決するためになされたもので、機械室内の配線等を傷付けたり、機械室内に浸水したりするおそれがなく、その上据付作業時やサービス作業時における作業者の安全性を確保することのできる仕切り板を有する室外機及びこれを備えた空気調和機を提供することを目的としたものである。
【課題を解決するための手段】
【０００７】
本発明に係る室外機は、送風ファンが配置された送風機室と、圧縮機、冷媒配管群、電気品箱が配置された機械室と、送風機室と機械室とを仕切る仕切り板と、送風機室及び機械室の前側に設けられる前面パネルとを備え、仕切り板の前面側を、機械室側に折り曲げてその開口部が送風機室側に向くコ字状に形成し、仕切り板の当該コ字状は、前面パネルに固定される取付面を有しているものである。
【０００８】
また、本発明に係る空気調和機は、上記の室外機を備えたものである。
【発明の効果】
【０００９】
本発明に係る室外機及びこれを備えた空気調和機によれば、送風ファンが配置された送風機室と、圧縮機、冷媒配管群、電気品箱が配置された機械室と、送風機室と機械室とを仕切る仕切り板と、送風機室及び機械室の前側に設けられる前面パネルとを備え、仕切り板の前面側を、機械室側に折り曲げてその開口部が送風機室側に向くコ字状に形成し、仕切り板の当該コ字状は、前面パネルに固定される取付面を有している。すなわち、送風機室と機械室を仕切る仕切り板の前面側を、その開口部が送風機室側に向うコ字状に形成し、コ字状部の前面側を前面パネルにねじで固定するようにしたので、両者を固定するねじの先端部が機械室内に露出することがなく、また、仕切り板には前面側又機械室内に向うエッジ部も存在しない。このため、機械室内の配線が損傷することがなく、また、室外機の据付作業やメンテナンス作業の際に作業者がねじの先端部やエッジ部に触れることがないので、従来のように、ねじの先端部や仕切り板のエッジ部にテープ、パッキンなどを貼り付ける必要がないため、部品数を削減することができ、これにより、コストを低減することができる。
【発明を実施するための最良の形態】
【００１０】
図１は本発明の一実施の形態に係る室外機の前面パネル及び上面パネルを取外した状態を示す斜視図、その仕切り板の斜視図及び仕切り板の一部拡大図、図２は室外機の上面パネルを取外した状態を示す上面図、図３は図２の一部拡大図、図４は室外機の外観斜視図である。
【００１１】
室外機１は、送風ファン３や熱交換器４が設置された送風機室２と、圧縮機６、冷媒配管群７や電気品箱８が設置された機械室５とからなり、送風機室２と機械室５とは仕切り板２０によって仕切られている。なお、９は圧縮機６や冷媒配管群７と電気品箱８とを接続する配線である。
【００１２】
１０ａはベルマウス１１を有し、送風機室２の前面側に着脱可能に装着されて外郭を構成する送風機室前面パネルで、その機械室５側の端部は、図３に示すように、内側（背面側）にほぼＬ字状に折曲げられて送風機室前面パネル１０ａと平行に固定面１０ｃが設けられており、その上下方向には複数のねじ挿通穴（図示せず）が設けられている。１０ｂは同じく機械室５の前面側に装着された機械室前面パネル（両者を合わせて前面パネル１０ということがある）、１２は同じく機械室５の側面と背面を覆う背面パネル、１３は同じく上面を覆う上面パネルである。
【００１３】
仕切り板２０は、図１、図３に示すように、前面パネル１０と直交して送風機室２と機械室５を仕切る本体部２０ａを有し、本体部２０ａの前面側はほぼ直角に折曲げられて機械室５側に延設（延設部２０ｂ）され、その端部を前面側にほぼ直角に折曲げたのち、前面板１０とほぼ平行に送風機室２側に折曲げて延設部２０ｂより短かい取付面２０ｄが形成されたほぼＪ字状で袋状のコ字状部２０ｃが設けられており、取付面２０ｄの上下方向には、送風機室前面パネル１０ａの固定面１０ｃに設けたねじ挿通穴に対応してねじ穴２０ｅが設けられている。２０ｆは本体部２０ａの背面側に設けられたフランジである。
【００１４】
次に、上記のように構成した仕切り板２０の取付手順の一例について説明する。
先ず、送風機室２と機械室５との間に、本体部２０ａを前面パネル１０と直交し、コ字状部２０ｃを前面側にかつその開口部を送風機室２側に向けて仕切り板２０を配置し、背面側に設けたフランジ２０ｆを熱交換器４を介して背面パネル１２にねじで固定する。
【００１５】
次に、送風機室２の前面に送風機室前面パネル１０ａを装着し、図３に示すように、その固定面１０ｃを仕切り板２０のコ字状部２０ｃの取付面２０ｄに当接し、固定面１０ｃのねじ挿通穴に挿通したねじ１５を、取付面２０ｄのねじ穴２０ｅに螺入して固定する。これにより、仕切り板２０は送風機室前面パネル１０ａと背面パネル１２との間に一体的に固定される。
【００１６】
ついで、機械室２の前面側に機械室前面パネル１０ｂを装着する。これにより、ねじ１５を含む送風機室前面パネル１０ａの固定面１０ｃは機械室前面パネル１０ｂによって覆われるので、ねじ１５が前面側に露出することがなく、また、ねじ１５の先端部はコ字状部２０ｃ内（送風機室２内）に位置し、機械室５内に露出することはない。
【００１７】
図５に本発明に係る室外機１を備えた空気調和機の冷媒回路を示す。
空気調和機において、冷房運転時には低圧低温のガス冷媒は室外機１の圧縮機６により高温高圧のガス冷媒に圧縮され、四方弁１６に送られる。そして、四方弁１６から冷媒配管７により室外熱交換器４に導かれてガス冷媒が液化し、凝縮熱を室外に放出する（室外熱交換器４が凝縮器として作用する）。室外熱交換器４から出た高圧の液冷媒は、減圧器１７により低圧低温の気液二相冷媒となり、冷媒配管７ａを介して室内機１８の室内熱交換器１９に導かれる。ここで、室内の空気中の熱を吸収して冷媒が蒸発し、低圧低温のガス冷媒となり、冷房運転を行う（室内熱交換器１９が蒸発器として作用する）。そして、低圧低温のガス冷媒は、冷媒配管７ｂ、四方弁１６を経て圧縮機６に導かれ、冷媒サイクル運転を行う。
【００１８】
暖房運転を行う場合は、四方弁１６を切り換えて冷媒の流れを冷房運転の場合と逆方向にすることにより、室内熱交換器１９が凝縮機、室外熱交換器４が蒸発器として作用する。それ以外は冷房運転の場合と同様である。
【００１９】
上記の説明では、図１〜図４において、図の左側に送風機室２、右側に圧縮室５を配置した室外機１を示したが、送風機室２を右側、機械室５を左側に配置した室外機にも本発明を実施することができる。
また、上記の説明では、本発明に係る室外機１を備えた空気調和機を示したが、これに限定するものではなく、例えば、ショーケースの室外機にも本発明を実施することができる。
【００２０】
上記のように構成した本発明に係る室外機１によれば、送風機室２と機械室５を仕切る仕切り板２０の前面側に、機械室５側に延設され開口部が送風機室２側に向くコ字状部２０ｃを設けたので、仕切り板２０の取付面２０ｄを送風機室前面パネル１０ａに固定するねじ１５の先端部は、コ字状部２０ｃ（送風機室２）内に位置して機械室５内に露出することがない。このため、機械室５内の配線９などに接触することがないので、これらを損傷することがない。
【００２１】
また、仕切り板２０の前面側に設けたコ字状部２０ｃの取付面２０ｄは前面パネル１０と平行に形成されているため、前面側に向うエッジ部がなく、さらに、仕切り板２０を前面パネル１０に固定するねじ１５の先端部はコ字状部２０ｃ内に位置して露出していないため、現地での室外機１の据付作業やメンテナンス作業の際に、作業者が仕切り板２０のエッジ部やねじ１５に触れることがない。
【００２２】
さらに、仕切り板２０は、前面側にほぼＪ字状に折曲げたコ字状部２０ｃを設けたので剛性を高くすることができ、これにより、室外機１の運搬時などの際の衝撃に対して変形を防止することができる。
【００２３】
また、仕切り板２０には前面側に向うエッジ部がなく、仕切り板２０を前面パネル１０に固定するねじ１５の先端部が機械室５内に露出していないので、従来のように、これらに保護用のテープやパッキン、さらには絶縁材を貼り付ける必要がない。
また、送風機室前面パネル１０ａの固定面１０ｃに設けたねじ挿通穴や、仕切り板２０の取付面２０ｄに設けたねじ穴２０ｅは、機械室前面パネル１０ｂで覆れるため、これらの穴から機械室５内に雨水などの浸入が防止される。このため、機械室５内に配設された電気品箱８に浸水防止対策を施す必要がなく、これらにより、部品数を削減することができるので、コストを低減することができる。
【００２４】
さらに、本発明に係る室外機１によれば、仕切り板２０のコ字状部２０ｃは延設部２０ｂの左右幅より取付面２０ｄの左右幅を短くして断面をほぼＪ字状に形成し、コ字状部２０ｃを仕切り板２０の他の部分より機械室５寄り設けているので、コ字状部２０ｃにより送風機３前方の仕切り板２０側の風路を妨げることなく機械室５の左右幅を広げることができる。また、コ字状部２０ｃにより送風機室前面パネル１０ａの仕切り板２０側を幅広く形成できることから、ベルマウス１１、吹出グリル１４、送風機３の大きさを拡大することもでき、室外機１の熱交換効率を上げることが可能となる。また、送風機３の大きさを拡大できることで、送風機３による同一風量を確保した場合、拡大した送風機３の回転数を下げられることにより低騒音化を図ることもできる。
また、ねじ１５とねじ穴２０ｅの隙間から雨水が浸入したとしても、雨水は送風機室２側に入ることになり、送風機室２側のドレン排水穴（図示せず）から外部に排水されるため、雨水が機械室５側に侵入するのを防止できる。
【図面の簡単な説明】
【００２５】
【図１】本発明の一実施の形態に係る室外機の前面パネル及び上面パネルを取外した状態を示す斜視図、その仕切り板の斜視図及び仕切り板の一部拡大図である。
【図２】室外機の上面パネルを取外した状態を示す上面図である。
【図３】図２の一部拡大図である。
【図４】室外機の外観斜視図である。
【図５】本発明に係る室外機を備えた空気調和機の冷媒回路図である。
【符号の説明】
【００２６】
１  室外機、２  送風機室、３  送風機、４  熱交換器、５  機械室、６  圧縮機、８  電気品箱、９  配線、１０  前面パネル、１０ａ  送風機室前面パネル、１０ｂ  機械室前面パネル、１０ｃ  固定面、１５  ねじ、２０  仕切り板、２０ａ  本体部、２０ｂ  延設部、２０ｃ  コ字状部、２０ｄ  取付面、２０ｅ  ねじ穴。
【図１】
0005058004.tif 000002
【図２】
0005058004.tif 000003
【図３】
0005058004.tif 000004
【図４】
0005058004.tif 000005
【図５】
0005058004.tif 000006